(57)【要約】【課題】通水路内を十分清潔に保つことができるアルカリイオン水生成器を提供する。【解決手段】本発明は、アルカリイオン水生成器（１）であって、塩素成分を除去する脱塩素手段（２０）と、塩素成分が除去された水に電界を作用させ、アルカリイオン水を生成する電解手段（２４）と、脱塩素手段の上流側と下流側を連通させるバイパス通水路（３２）と、滞留している水を排水するための水抜き弁（４２）と、脱塩素手段、バイパス通水路、及び水抜き弁に接続された通水路切替手段（１８）と、水道水の供給が停止されたとき、脱塩素手段と水抜き弁を連通させて下流側通水路内の滞留水を排出し、バイパス通水路と水抜き弁を連通させてバイパス通水路内の滞留水を排出するように、通水路切替手段を切り替える水抜き制御手段（２６）と、を有することを特徴としている。【選択図】図２
2008086858.tif 000002
【特許請求の範囲】
【請求項１】
水道水からアルカリイオン水を生成して吐出させるアルカリイオン水生成器であって、
水道水に含まれる塩素成分を除去する脱塩素手段と、
この脱塩素手段によって塩素成分が除去された水に電界を作用させ、水を電気分解してアルカリイオン水を生成する電解手段と、
上記脱塩素手段の上流側の上流側通水路と、上記脱塩素手段と上記電解手段の間の下流側通水路との間を連通させるバイパス通水路と、
滞留している水を排水するための水抜き弁と、
上記脱塩素手段、上記バイパス通水路、及び上記水抜き弁に接続された通水路切替手段と、
水道水の供給が停止されたとき、上記脱塩素手段と上記水抜き弁を連通させて上記下流側通水路内の滞留水を排出し、上記バイパス通水路と上記水抜き弁を連通させて上記バイパス通水路内の滞留水を排出するように、上記通水路切替手段を切り替える水抜き制御手段と、
を有することを特徴とするアルカリイオン水生成器。
【請求項２】
さらに、上記電解手段に流入する水にカルシウムを添加する、上記水抜き弁よりも上方に配置されたカルシウム添加手段を有し、このカルシウム添加手段内に滞留した水も上記水抜き弁を通って排出される請求項１記載のアルカリイオン水生成器。
【請求項３】
上記水抜き弁は、上記電解手段よりも上方に配置されており、上記水抜き制御手段が、上記脱塩素手段と上記水抜き弁を連通させた場合にも、上記電解手段内の水は排出されずに滞留する請求項１又は２記載のアルカリイオン水生成器。
【請求項４】
上記下流側通水路は、上記水抜き弁よりも上方に配置されている請求項１乃至３の何れか１項に記載のアルカリイオン水生成器。
【発明の詳細な説明】
【技術分野】
【０００１】
本発明は、アルカリイオン水生成器に関し、特に、水道水からアルカリイオン水を生成して吐出させるアルカリイオン水生成器に関する。
【背景技術】
【０００２】
特開平１０−４３７６１号公報には、アルカリイオン整水器が記載されている。このアルカリイオン整水器は、水道水中の残留塩素等を除去する活性炭、及びこの活性炭を通過した水を電気分解する電解槽を備えており、通常使用時においては、電解槽の中で生成されたアルカリイオン水を吐水口から吐水させるように構成されている。このようなタイプのアルカリイオン整水器においては、活性炭等を通過して塩素が除去された浄水が、止水時に給水経路内に滞留するので、通水路内で雑菌が繁殖する虞がある。そこで、特開平１０−４３７６１号公報記載のアルカリイオン整水器では、電解槽の中でアルカリイオン水と共に発生する酸性水を利用して通水路の殺菌を行っている。
【０００３】
【特許文献１】特開平１０−４３７６１号公報
【発明の開示】
【発明が解決しようとする課題】
【０００４】
しかしながら、特開平１０−４３７６１号公報記載のアルカリイオン整水器では、活性炭等により残留塩素が除去された浄水を電気分解することにより発生する酸性水を殺菌に使用しているので、酸性水の殺菌力が弱く、十分な殺菌を行うことができないという問題がある。
【０００５】
また、特開平１０−４３７６１号公報記載のアルカリイオン整水器において、活性炭よりも下流側の通水路には、塩素が除去された水が不使用時に滞留することになるので、この部分の通水路が雑菌等により汚染されやすいという問題がある。
【０００６】
従って、本発明は、通水路内を十分清潔に保つことができるアルカリイオン水生成器を提供することを目的としている。
【課題を解決するための手段】
【０００７】
上述した課題を解決するために、本発明は、水道水からアルカリイオン水を生成して吐出させるアルカリイオン水生成器であって、水道水に含まれる塩素成分を除去する脱塩素手段と、この脱塩素手段によって塩素成分が除去された水に電界を作用させ、水を電気分解してアルカリイオン水を生成する電解手段と、脱塩素手段の上流側の上流側通水路と、脱塩素手段と電解手段の間の下流側通水路との間を連通させるバイパス通水路と、滞留している水を排水するための水抜き弁と、脱塩素手段、バイパス通水路、及び水抜き弁に接続された通水路切替手段と、水道水の供給が停止されたとき、脱塩素手段と水抜き弁を連通させて下流側通水路内の滞留水を排出し、バイパス通水路と水抜き弁を連通させてバイパス通水路内の滞留水を排出するように、通水路切替手段を切り替える水抜き制御手段と、を有することを特徴としている。
【０００８】
このように構成された本発明においては、脱塩素手段により水道水に含まれる塩素成分が除去された水道水は、電解手段によって電気分解され、アルカリイオン水が生成される。また、通水路切替手段を切り替えることにより、水道水をバイパス通水路に流すと、脱塩素手段の下流側にも塩素成分を含む水が流入する。さらに、水抜き制御手段は、水道水の供給が停止されたとき、通水路切替手段を切り替えて、脱塩素手段と水抜き弁を連通させて下流側通水路内の滞留水を排出し、バイパス通水路と水抜き弁を連通させてバイパス通水路内の滞留水を排出する。
【０００９】
このように構成された本発明によれば、バイパス通水路を備えているので、脱塩素手段の下流側にも塩素成分を含む水を流して通水路を殺菌することができると共に、水道水の供給が停止されたときには、通水路切替手段を切り替えることにより、バイパス通水路及び下流側通水路の両方の滞留水を排出して雑菌の繁殖を防止することができる。
【００１０】
本発明において、好ましくは、さらに、電解手段に流入する水にカルシウムを添加する、水抜き弁よりも上方に配置されたカルシウム添加手段を有し、このカルシウム添加手段内に滞留した水も水抜き弁を通って排出される。
【００１１】
このように構成された本発明によれば、カルシウム添加手段の内部に雑菌が繁殖するのを防止することができると共に、カルシウム添加手段内に滞留した水にカルシウムが溶出して、カルシウムが浪費されるのを防止することができる。
【００１２】
本発明において、好ましくは、水抜き弁は、電解手段よりも上方に配置されており、水抜き制御手段が、脱塩素手段と水抜き弁を連通させた場合にも、電解手段内の水は排出されずに滞留する。
【００１３】
このように構成された本発明によれば、電解手段内の水は排出されずに滞留しているので、水抜きが行われた状態においても、電解手段内の水に電界を作用させ、電解手段の内部を殺菌することができる。
【００１４】
本発明において、好ましくは、下流側通水路は、水抜き弁よりも上方に配置されている。
このように構成された本発明によれば、下流側通水路内の水を、容易に水抜きすることができる。
【発明の効果】
【００１５】
本発明のアルカリイオン水生成器によれば、通水路内を十分清潔に保つことができる。
【発明を実施するための最良の形態】
【００１６】
次に、添付図面を参照して、本発明の実施形態によるアルカリイオン水生成器を説明する。
図１は、本発明の実施形態によるアルカリイオン水生成器全体を示す斜視図である。また、図２は、アルカリイオン水生成器の本体内の構成を示すブロック図である。図３はアルカリイオン水生成器の吐水ヘッドを拡大して示す斜視図であり、図４は吐水ヘッドに内蔵されたセンサ回路を示す図である。
【００１７】
図１に示すように、本実施形態のアルカリイオン水生成器１は、本体部２と、吐水ヘッド４と、を有する。水栓６の吐水部に取り付けられた吐水ヘッド４と本体部２は、流入ホース８及び流出ホース１０によって接続されている。また、本体部２の正面には、種々の設定、操作及び表示を行う操作表示部１２が設けられており、さらに、アルカリイオン水と共に発生する酸性水を排出する排水ホース１４が、本体部２からシンクに延びている。
【００１８】
本実施形態によるアルカリイオン水生成器１は、水栓６の吐水部から吐出された水道水が、吐水ヘッド４から流入ホース８を介して本体部２へ導かれ、本体部２内でアルカリイオン水を生成するように構成されている。さらに、本体部２内で生成されたアルカリイオン水は、流出ホース１０を介して吐水ヘッド４へ導かれ、吐水ヘッド４から吐水される。また、この際、本体部２でアルカリイオン水と共に発生した酸性水は、排水ホース１４を介して排水される。なお、アルカリイオン水生成器１を使用しない場合には、吐水ヘッド４に設けられた操作レバー４ａを操作して、水栓６から吐出された水道水を吐水ヘッド４から直接吐水させることができるように構成されている。
【００１９】
次に、図２を参照して、本体部２の内部構成を説明する。
図２に示すように、本体部２には、中空糸膜カートリッジ１６と、本体部２内の通水路を切り替えるバイパス切替弁１８と、脱塩素手段である活性炭カートリッジ２０と、カルシウム添加手段であるカルシウム供給部２２と、流入した水に電界を作用させる電解手段である電解槽２４と、を有する。さらに、本体部２には、操作表示部１２の操作に基づいて、バイパス切替弁１８及び電解槽２４を制御する洗浄制御手段及び水抜き制御手段として機能するコントローラ２６を有する。また、本体部２には、止水時に本体部２内の通水路の水抜きをする水抜き弁４２と、中空糸膜カートリッジ１６に流入する流量を調整し、逆流を防止する定流量弁付き逆止弁４４と、カルシウム供給部２２からの逆流を防止する逆止弁４６と、を有する。
【００２０】
中空糸膜カートリッジ１６は、定流量弁付き逆止弁４４を介して流入ホース８に接続されており、本体部２に流入した水道水から細菌や不純物を取り除くように構成されている。
【００２１】
バイパス切替弁１８は、コントローラ２６からの信号に基づいて、本体部２内の通水路を切り替えるように構成されている。また、バイパス切替弁１８は、上流側通水路２８ａを介して中空糸膜カートリッジ１６に、上流側通水路２８ｂを介して活性炭カートリッジ２０に、バイパス通水路３２を介してカルシウム供給部２２に、水抜き通水路３８を介して水抜き弁４２に、夫々接続されている。
【００２２】
このバイパス切替弁１８は、アルカリイオン水又は浄水を吐出させる通常運転モードにおいては、中空糸膜カートリッジ１６からの上流側通水路２８ａを上流側通水路２８ｂに接続する通常位置に設定される。また、バイパス切替弁１８は、通水路の殺菌、洗浄を行う通水路洗浄モードにおいては、上流側通水路２８ａとバイパス通水路３２を接続する洗浄位置に切り替えられる。さらに、バイパス切替弁１８は、止水時に本体部２内の滞留水を排出する場合には、上流側通水路２８ａと水抜き通水路３８を接続する位置、及びバイパス通水路３２と水抜き通水路３８を接続する位置に切り替えられる。
【００２３】
活性炭カートリッジ２０は、中空糸膜カートリッジ１６から、バイパス切替弁１８、上流側通水路２８ｂを介して流入した水の中の残留塩素やトリハロメタンを吸着して取り除くように構成されている。この活性炭カートリッジ２０で浄化された浄水は、下流側通水路３０を通って逆止弁４６に流入するように構成されている。
【００２４】
カルシウム供給部２２は、活性炭カートリッジ２０から流出し、下流側通水路３０、逆止弁４６を介して流入した浄水に、グリセロリン酸カルシウムや乳酸カルシウムなどのカルシウムイオンを添加し、水の電気伝導率を高くするように構成されている。また、活性炭カートリッジ２０を通過していない、バイパス通水路３２を通過した水もカルシウム供給部２２に流入するように構成されている。即ち、活性炭カートリッジ２０をバイパスしたバイパス通水路３２は、カルシウム供給部２２の上流において再び合流する。また、カルシウム供給部２２には、使用者が添加するカルシウムを補給するためのカルシウム補給口（図示せず）が設けられている。また、本体部２には、カルシウム補給口（図示せず）に蓋をするキャップ２ａ（図１）の開閉を検知する開放検出手段であるセンサ（図示せず）も内蔵されており、検知信号はコントローラ２６に送られる。
【００２５】
電解槽２４は、カルシウム供給部２２から電解槽流入通水路３４を経て流入した水に電界を作用させ、水を電気分解してアルカリイオン水を生成するように構成されている。即ち、電解槽２４の内部には、一対の電極（図示せず）が配置されており、これらの電極間に直流電圧を印可することにより流入した水に電界を作用させ、水を電気分解するように構成されている。電極に直流電圧を印可すると、その陰極側にはナトリウムイオンやカルシウムイオン等の陽イオンを多く含むアルカリ性の水が生成され、陽極側には塩化物イオン等の陰イオンを多く含む酸性の水が生成される。電解槽２４内で生成されたアルカリ性のアルカリイオン水は、アルカリ通水路３６、流出ホース１０、及び吐水ヘッド４を介して、吐水ヘッド４の吐水口から吐水される。一方、電解槽２４内で生成された酸性の水は、酸性通水路４０、及び排水ホース１４を介してシンクに排出される。
【００２６】
コントローラ２６は、使用者による操作表示部１２の操作に基づいて、バイパス切替弁１８、及び、電解槽２４内の電極によって生成される電界を制御するように構成されている。コントローラ２６は、通水路洗浄モードの運転時においては、電解槽２４内の水に作用させる電界の方向を逆転させ、或いは、電極に電圧を印可せず、作用させる電界を切るように構成されている。電解槽２４内の水に作用させる電界の方向を逆転させた場合には、電解槽２４に接続されたアルカリ通水路３６に酸性水が流入し、流出ホース１０及び吐水ヘッド４を介して吐水される。また、活性炭カートリッジ２０を通過していない、残留塩素を多く含む水が電解槽２４内に流入した場合には、水に電界を作用させることにより、強い殺菌力を有する次亜塩素酸が生成される。通水路洗浄モードの運転時において、電界の方向を逆転させた場合には、次亜塩素酸を多く含む水が、アルカリ通水路３６、流出ホース１０及び吐水ヘッド４を介して吐水される。
【００２７】
次に、図３及び図４を参照して、吐水ヘッド４と、流入ホース８及び流出ホース１０の接続部の構造を説明する。
図３に示すように、吐水ヘッド４に接続される流入ホース８及び流出ホース１０はホース結合部４８によって結合され、このホース結合部４８を吐水ヘッド４に接続することにより、２本のホースを吐水ヘッド４の後部に同時に接続することができる。吐水ヘッド４のホース結合部４８との結合部には、開放検出手段である２つのリミットスイッチ４ｂが備えられており、流入ホース８及び流出ホース１０の接続、取り外しを検知できるようになっている。即ち、ホース結合部４８を吐水ヘッド４に接続すると、その両側面に設けられた各係合爪４８ａが各リミットスイッチ４ｂを押圧するように構成されている。
【００２８】
図４に示すように、吐水ヘッド４には、２つのリミットスイッチ４ｂと、検知部５０ａと、この検知部を駆動する回路５０ｂと、電池５０ｃと、送受信ユニット５０ｄが内蔵されている。ホース結合部４８が吐水ヘッド４に接続され、各リミットスイッチ４ｂが押圧されると、各リミットスイッチ４ｂはオンになり、これが検知部５０ａによって検知される。検知部５０ａによって検知された信号は、送受信ユニット５０ｄによって本体部２に無線で送信される。一方、本体部２には、吐水ヘッド４の送受信ユニット５０ｄから送信された信号を受信する本体部送受信ユニット５０ｅが内蔵されており、ホース結合部４８の接続の有無を表す信号を受信するように構成されている。本体部送受信ユニット５０ｅが受信した信号は、コントローラ２６に送られる。これにより、コントローラ２６は、ホース結合部４８が取り外され、通水路の一部が開放されたことを検知することができる。
【００２９】
次に、図５を参照して、バイパス切替弁１８の構造を説明する。
図５は、バイパス切替弁１８の構造を模式的に示す断面図である。図５に示すように、バイパス切替弁１８は、上流側通水路２８ａ、上流側通水路２８ｂ、バイパス通水路３２、及び水抜き通水路３８の４本の通水路を十字型に接続するように構成されている。さらに、バイパス切替弁１８は、コントローラ２６からの制御信号に応じて、通水路内で摺動可能に配置された弁体１８ａを備えている。この弁体１８ａは、図５における左側に移動されるとバイパス通水路３２を閉鎖し、右側に移動されると上流側通水路２８ｂを閉鎖するように構成されている。即ち、コントローラ２６がバイパス切替弁１８を通常位置に切り替える制御信号を送ることにより、弁体１８ａは図５における左側に移動され、これにより、上流側通水路２８ａ、上流側通水路２８ｂ及び水抜き通水路３８が互いに連通する状態となる。逆に、バイパス切替弁１８が洗浄位置に切り替えられると、弁体１８ａは図５における右側に移動され、これにより、上流側通水路２８ａ、バイパス通水路３２、及び水抜き通水路３８が互いに連通する状態となる。
【００３０】
次に、図６を参照して、水抜き弁４２の構造を説明する。
図６は、水抜き弁４２の構造を示す断面図である。この水抜き弁４２は、図６における上側が水抜き通水路３８に接続され、下側が排水ホース１４に連通するように配置されている。図６に示すように、水抜き弁４２は、弁座部４２ａと、この弁座部４２ａに着座するボール弁体４２ｂと、このボール弁体４２ｂを弁座４２ａから引き離す摺動部材４２ｃと、この摺動部材４２ｃを付勢する付勢ばね４２ｄと、を有する。
【００３１】
弁座部４２ａは環状の部材から形成され、その内周にはすり鉢状の弁座が設けられている。この弁座に球状のボール弁体４２ｂが着座することにより、通水路が閉鎖されるように構成されている。また、摺動部材４２ｃは、水抜き弁４２の内部で摺動可能に配置された環状の摺動部分と、この摺動部分の中心に支持された押し棒部から形成されており、摺動部材４２ｃが図６における上方に移動されると、押し棒部がボール弁体４２ｂを押して弁座部４２ａから引き離すように構成されている。付勢ばね４２ｄは、水抜き弁４２の内部に、摺動部材４２ｃを図６における上方に付勢するように配置されている。
【００３２】
付勢ばね４２ｄは、水栓６が吐水状態とされると、中空糸膜カートリッジ１６を経て、バイパス切替弁１８、水抜き通水路３８を通って水抜き弁４２に至る水の圧力により圧縮され、ボール弁体４２ｂによって弁座部４２ａが閉鎖されるように構成されている。一方、水栓６が止水状態とされた場合には、ボール弁体４２ｂに作用する水の圧力が低下することにより、付勢ばね４２ｄが伸びるように構成されている。これにより、止水状態とされた場合には、ボール弁体４２ｂが弁座部４２ａから引き離され、水抜き弁４２は自動的に開放される。
【００３３】
本実施形態においては、水抜き弁４２は、下流側通水路３０、上流側通水路２８ｂ、バイパス通水路３２、及びカルシウム供給部２２よりも下方に配置されている。このため、止水状態において、これらの部分と水抜き弁４２が連通されると、内部に滞留していた水は、重力により下方に流れ、水抜き弁４２を通って排出される。なお、本実施形態においては、活性炭カートリッジ２０及び電解槽２４は、水抜き弁４２よりも下方まで延びているので、これらの内部の水が、重力により、水抜き弁４２から排出されることはない。
【００３４】
次に、図７乃至図１２を参照して、本発明の実施形態によるアルカリイオン水生成器１の作用を説明する。
図７は、本体部２に設けられた操作表示部１２の拡大図である。また、図８乃至図１２は、本実施形態によるアルカリイオン水生成器１の作用を示すフローチャートである。
【００３５】
図７に示すように、操作表示部１２には、４つの押しボタンスイッチＳＷ１〜ＳＷ４と、これらの押しボタンスイッチが夫々押されたことを示すＬＥＤ１〜ＬＥＤ４と、アルカリイオン水生成器１が通水路洗浄モードで運転されていることを示すＬＥＤ５と、アルカリイオン水生成器１の運転状態を表示する液晶ディスプレイ１２ａが設けられている。押しボタンスイッチＳＷ１はアルカリ性の強いアルカリイオン水を吐出させるためのスイッチであり、押しボタンスイッチＳＷ２はアルカリ性の弱いアルカリイオン水を吐出させるためのスイッチである。また、押しボタンスイッチＳＷ３は、電気分解されていない中性の浄水を吐出させるためのスイッチである。さらに、押しボタンスイッチＳＷ４は、通水路洗浄モードの運転を実行するためのスイッチである。
【００３６】
図８は、アルカリイオン水生成器１の作用を示すメインルーチンのフローチャートである。まず、図８のステップＳ１においては、操作表示部１２の押しボタンスイッチが押されたか否かが、コントローラ２６によって判断される。何れの押しボタンスイッチも押されていない場合にはステップＳ２に進み、何れかの押しボタンスイッチが押された場合には、ステップＳ７に進む。
【００３７】
ステップＳ７においては、操作された押しボタンスイッチに応じて、各種処理ルーチンへ分岐される。押しボタンスイッチＳＷ１〜ＳＷ３の何れかが操作された場合にはステップＳ８に進み、押しボタンスイッチＳＷ４が押された場合には、ステップＳ９に進む。
【００３８】
ステップＳ８においては、コントローラ２６は通常運転モードを実行する。通常運転モードにおいては、コントローラ２６は、まず、バイパス切替弁１８に信号を送り、これを上流側通水路２８ａと上流側通水路２８ｂが連通する通常位置に切り替える。さらに、コントローラ２６は、押された押しボタンスイッチに応じて、電解槽２４の電極に印加する電圧を制御する。まず、押しボタンスイッチＳＷ１が押された場合には、コントローラ２６は、強アルカリイオン水を生成するために、電解槽２４の電極間に高い電圧を印可する。また、この際、押しボタンスイッチＳＷ１の上のＬＥＤ１が点灯される。この状態で、使用者が水栓６を操作して吐水状態とすると、水栓６から吐水された水道水は、流入ホース８を通って、本体部２の定流量弁付き逆止弁４４に流入し、中空糸膜カートリッジ１６に到達する。
【００３９】
中空糸膜カートリッジ１６では、水道水中の不純物等が除去される。中空糸膜カートリッジ１６から流出した水は、さらに、上流側通水路２８ａ、バイパス切替弁１８、上流側通水路２８ｂを通って活性炭カートリッジ２０に流入する。なお、上述の通り、バイパス切替弁１８は水抜き通水路３８にも連通するように構成されているが、水栓６が吐水状態とされると、通水路を流れる水の圧力により水抜き弁４２が閉鎖されるので、吐水状態においては、通水路３８側には水は流れない。活性炭カートリッジ２０では、水道水中の残留塩素が除去される。活性炭カートリッジ２０から流出した水は、さらに、逆止弁４６を通ってカルシウム供給部２２に流入する。カルシウム供給部２２においては、流入した水にカルシウムが添加され、カルシウム供給部２２を通過した水は、電解槽２４に流入する。電解槽２４においては、内蔵された電極により、流入した水に電界が作用され、水が電気分解される。
【００４０】
電解槽２４内で、電気分解により生成されたアルカリイオン水は、アルカリ通水路３６を通って流出ホース１０に流入し、吐水ヘッド４の吐水口から吐水される。一方、電解槽内でアルカリイオン水と共に生成された酸性水は、酸性通水路４０、排水ホース１４を通って排出される。
【００４１】
一方、押しボタンスイッチＳＷ２が押された場合には、コントローラ２６は、弱アルカリイオン水を生成するために、強アルカリイオン水の場合よりも低い電圧を電解槽２４の電極間に印可する。また、この際、押しボタンスイッチＳＷ２の上のＬＥＤ２が点灯される。この場合において、弱アルカリイオン水が生成される作用は、電極間に印可される電圧を除き、強アルカリイオン水の場合と同じであるので、説明を省略する。
【００４２】
さらに、押しボタンスイッチＳＷ３が押された場合には、コントローラ２６は、中性の浄水を生成するために、電解槽２４の電極間の印加電圧をオフにする。また、この際、押しボタンスイッチＳＷ３の上のＬＥＤ３が点灯される。この場合には、電解槽２４内における電気分解が行われず、中空糸膜カートリッジ１６及び活性炭カートリッジ２０によって浄化された浄水がそのまま吐水ヘッド４の吐水口から吐水される。
【００４３】
また、押しボタンスイッチＳＷ４が押された場合には、ステップＳ９に進み、スイッチ操作による通水路洗浄モードの運転が実行される。ステップＳ９における処理は、図９を参照して後に詳細に説明する。
【００４４】
一方。図８のステップＳ１において、操作表示部１２の押しボタンスイッチが押されていないと判断された場合には、ステップＳ２に進む。ステップＳ２においては、ホース結合部４８が吐水ヘッド４から外されたか否か、又は、キャップ２ａが外されたか否かが判断される。これらの場合には、何れもアルカリイオン水生成器１の通水路の一部が開放されたことになるので、通水路内に雑菌が侵入した可能性がある。このため、通水路の一部が開放された場合には、ステップＳ１０に進み、通水路の開放による通水路洗浄モードの運転が実行される。ステップＳ１０における処理は、図１１を参照して後に詳細に説明する。
【００４５】
また、図８のステップＳ２において、通水路が開放されていないと判断された場合には、ステップＳ３に進み、ステップＳ３では、使用者により水栓６が吐水状態にされているか否かが判断される。止水状態である場合にはステップＳ３の処理が繰り返され、吐水状態にされた場合にはステップＳ４に進む。
【００４６】
ステップＳ４においては、前回の吐水から今回の吐水まで、所定期間以上経過しているか否かが判断される。前回の吐水と今回の吐水との間で長時間経過している場合には、止水状態にされている間に、通水路内で雑菌が繁殖している可能性があるのでステップＳ１１に進み、ステップＳ１１では、自動通水路洗浄モードが実行される。ステップＳ１１における処理は、図１２を参照して後に詳細に説明する。
【００４７】
次に、ステップＳ５においては、押しボタンスイッチＳＷ１〜ＳＷ３の操作によって現在設定されている通常運転モードが実行される。ステップＳ５における処理は、上述したステップＳ８における処理と同一であるので説明を省略する。
【００４８】
さらに、ステップＳ６においては、水栓６が止水状態にされたときに行われる水抜き処理が実行される。ステップＳ６における処理は、図１０を参照して後に詳細に説明する。
【００４９】
次に、ステップＳ９（図８）における処理を説明する。ステップＳ９における処理は、押しボタンスイッチＳＷ４が押された場合に実行される処理であり、スイッチ操作による通水路洗浄モードの運転をするために、図９に示すフローチャートの処理がサブルーチンとして実行される。
【００５０】
まず、図９のステップＳ１０１においては、ホース結合部４８の着脱を検知する吐水ヘッド４に設けられたリミットスイッチ４ｂ、及び本体部２のキャップ２ａの着脱を検知するセンサ（図示せず）が解除される。これにより、図９のサブルーチンの処理中、リミットスイッチ４ｂ及びキャップ２ａ着脱センサ（図示せず）の検知信号は、コントローラ２６によって無視されるようになる。
【００５１】
次に、ステップＳ１０２においては、操作表示部１２の表示が切り替えられる。即ち、操作表示部１２のＬＥＤ４を赤色で点灯させ、押しボタンスイッチＳＷ４が押されたことを示すと共に、ＬＥＤ５が赤色で点滅され、通水路洗浄モード運転が開始されたことを報知する。また、液晶ディスプレイ１２ａには「ホース及びカルシウムキャップ取り付け、通水してください。強力配管洗浄を行います。」とのメッセージが表示される。
【００５２】
次に、ステップＳ１０３においては、使用者が、液晶ディスプレイ１２ａのメッセージに従って水栓６を吐水状態とし、本体部２に水道水が通水されているか否かが判断される。通水が確認された場合にはステップＳ１０４に進み、通水されていない場合にはステップＳ１０３の処理が繰り返される。
【００５３】
次いで、ステップＳ１０４においては、洗浄処理時間をカウントするタイマーが積算を開始する。
さらに、ステップＳ１０５においては、操作表示部１２のＬＥＤ５が赤色の点灯状態にされると共に、液晶ディスプレイ１２ａの表示が「強力洗浄中」に変更される。さらに、コントローラ２６は、バイパス切替弁１８に信号を送り、これを上流側通水路２８ａとバイパス通水路３２が連通する洗浄位置に切り替える。これにより、中空糸膜カートリッジ１６から流出した水道水が、活性炭カートリッジ２０をバイパスして、カルシウム供給部２２に直接流入するようになる。なお、この際、水抜き弁４２は流入した水の圧力により閉鎖されるので、バイパス切替弁１８から水抜き通水路３８の側に、水が流れることはない。また、コントローラ２６は、本体部２に内蔵されているブザー（図示せず）を鳴動させ、現在吐水ヘッド４から吐出されている水は飲用には適さない旨を音声によって使用者に報知する。また、バイパス切替弁１８が洗浄位置に切り替えられている旨の情報が、コントローラ２６のメモリ（図示せず）に記憶される。
【００５４】
続いて、ステップＳ１０６においては、コントローラ２６は、電解槽２４に信号を送り、電解槽２４に内蔵された電極に、通常のアルカリイオン水生成時とは反対極性の電圧を印可する。これにより、電解槽２４に流入した水には、アルカリイオン水生成時とは反対の方向の電界が作用される。また、電解槽２４に流入する水は活性炭カートリッジ２０をバイパスしているため、塩素成分が多く残留しており、電解槽２４内で電界が作用されると、強力な殺菌力を有する次亜塩素酸が生成される。これにより、電解槽２４から延びるアルカリ通水路３６には、次亜塩素酸を含む酸性の水が流入する。電解槽２４から流出した次亜塩素酸を含む酸性水は、アルカリ通水路３６、流出ホース１０、及び吐水ヘッド４を通って吐水口から吐出され、これらの通水路を強力に殺菌、洗浄する。
【００５５】
次に、ステップＳ１０７においては、本体部２への通水状態が継続しているか否かが判断される。通水状態が継続している場合には、ステップＳ１０８に進み、通水路洗浄モードの途中で使用者が水栓６を止水状態にした場合にはステップＳ１１３に進む。
【００５６】
さらに、ステップＳ１０８においては、所定の前洗浄時間が経過しているか否かが判断される。即ち、ステップＳ１０４でカウントを開始したタイマーが、所定の前洗浄時間に達しているか否かが判断される。所定の前洗浄時間が経過している場合には、ステップＳ１０９に進み、前洗浄時間が経過していない場合には、ステップＳ１０７に戻る。本実施形態においては、前洗浄時間である２０秒間に亘って、バイパス切替弁１８が洗浄位置に切り替えられた状態で洗浄が行われる。
【００５７】
ステップＳ１０９においては、コントローラ２６は、バイパス切替弁１８に信号を送り、これを上流側通水路２８ａと上流側通水路２８ｂが連通する通常位置に切り替える。これにより、中空糸膜カートリッジ１６から流出した水道水は、活性炭カートリッジ２０に流入するようになる。また、バイパス切替弁１８が通常位置に切り替えられている旨の情報は、コントローラ２６のメモリ（図示せず）に記憶される。さらに、コントローラ２６は、電解槽２４に信号を送り、電解槽２４に内蔵された電極に印加する電圧をオフにして、水に作用する電界を切る。これにより、活性炭カートリッジ２０で浄化された浄水は電解槽２４内で電気分解されることなく、中性のまま吐出される。電解槽２４から吐出された浄水は、アルカリ通水路３６、流出ホース１０、及び吐水ヘッド４を通って吐水口から吐出され、これらの通水路に付着した次亜塩素酸を含む酸性水が洗い流される。
【００５８】
次に、ステップＳ１１０においては、本体部２への通水状態が継続しているか否かが判断される。通水状態が継続している場合には、ステップＳ１１１に進み、通水路洗浄モードの途中で使用者が水栓６を止水状態にした場合にはステップＳ１１３に進む。
【００５９】
さらに、ステップＳ１１１においては、所定の後洗浄時間が経過しているか否かが判断される。即ち、ステップＳ１０９において開始された後洗浄が、所定の後洗浄時間に達しているか否かが判断される。所定の後洗浄時間が経過している場合には、ステップＳ１１２に進み、後洗浄時間が経過していない場合には、ステップＳ１１０に戻る。本実施形態においては、ステップＳ１０４におけるタイマーの積算開始から３０秒が経過しているか否かが、ステップＳ１１１において判断される。即ち、本実施形態においては、２０秒間の前洗浄時間が経過した後、後洗浄時間である１０秒間に亘って、バイパス切替弁１８が通常位置に切り替えられた状態で洗浄が行われる。
【００６０】
さらに、ステップＳ１１２においては、操作表示部１２のＬＥＤ５が青色の点灯状態にされると共に、液晶ディスプレイ１２ａの表示が「洗浄完了」に変更される。また、コントローラ２６は、ブザー（図示せず）の鳴動を停止させ、通水路洗浄モードの運転が終了したことを使用者に報知する。さらに、コントローラ２６はＬＥＤ４を消灯させると共に、操作表示部１２を、洗浄のために押しボタンスイッチＳＷ４が操作される前に設定されていた状態に戻して、図９に示すフローチャートの処理を終了する。例えば、押しボタンスイッチＳＷ４が押される前に弱アルカリイオン水が選択されていた場合には、コントローラ２６は、ＬＥＤ２を青色で点灯させると共に、弱アルカリイオン水が吐水されるように各部を制御する。
【００６１】
なお、コントローラ２６は、ステップＳ１０２の処理が終了した後、ステップＳ１１２の処理が終了するまでの全洗浄時間に亘って、押しボタンスイッチＳＷ１〜ＳＷ４の操作を受け付けず、使用者がこれらの押しボタンスイッチを操作しても、その操作を無視するように構成されている。
【００６２】
次に、ステップＳ１１３以下の処理を説明する。
ステップＳ１１３以下の処理は、ステップＳ１０７又はＳ１１０において、通水路洗浄モードの運転の途中で使用者が水栓６を止水状態にしたと判断された場合の処理である。
【００６３】
まず、ステップＳ１１３においては、コントローラ２６は、鳴動されているブザー（図示せず）を停止させる。さらに、コントローラ２６は、赤色で点灯されていたＬＥＤ５を、赤色の点滅に切り替えると共に、液晶ディスプレイ１２ａに「洗浄未完了」と表示させる。次いで、ステップＳ１１４においては、水栓６が止水状態にされたときの水抜き処理（図１０）が実行される。
【００６４】
ステップＳ１１４の処理が終了するとステップＳ１０３に戻る。上述の通り、ステップＳ１０３においては、水栓６が開放されているか否かが判断され、開放されていない場合には、その処理が繰り返される。再び水栓６が開放されると、ステップＳ１０４以下の処理が実行され、中断されていた洗浄処理が最初から実行される。
【００６５】
次に、図１０を参照して、図９のステップＳ１１４において実行される水抜き処理を説明する。図１０は、水栓６が止水状態にされたときに実行される水抜き処理のフローチャートである。
【００６６】
まず、図１０のステップＳ２０１においては、水栓６が止水状態にされているか否かが判断される。止水状態にされている場合には、ステップＳ２０２に進み、吐水状態である場合には、ステップＳ２０１の処理が繰り返される。
【００６７】
ステップＳ２０２においては、水抜きを実行する時間をカウントするタイマーが積算を開始する。
さらに、ステップＳ２０３においては、バイパス切替弁１８が、通常位置にされているか、洗浄位置にされているかが判断される。即ち、ステップＳ２０３においては、コントローラ２６のメモリに記憶されているバイパス切替弁１８の状態が判断され、バイパス切替弁１８が通常位置の場合にはステップＳ２０４に進み、洗浄位置の場合にはステップＳ２０８に進む。例えば、図９のステップＳ１１０から、ステップＳ１１３を経てステップＳ２０３が実行された場合には、バイパス切替弁１８が通常位置にあることがメモリに記憶されているので、ステップＳ２０４に処理が移行する。
【００６８】
次に、ステップＳ２０４においては、ステップＳ２０２において開始されたタイマーの積算時間が所定の水抜き時間に達しているか否かが判断される。所定の水抜き時間に達していない場合には、ステップＳ２０４の処理が繰り返される。本実施形態においては、タイマーの積算開始後、５秒間ステップＳ２０４の処理が繰り返される。この所定の水抜き時間においては、水栓６が止水状態とされ、本体部２内には通水されていないため、水抜き弁４２のボール弁体４２ｂが付勢ばね４２ｄによって押し上げられ、水抜き弁４２は開放される。また、バイパス切替弁１８は上流側通水路２８ａと上流側通水路２８ｂが連通する通常位置に、即ち、水抜き弁４２と活性炭カートリッジ２０が連通するように切り替えられている。このため、水抜き弁４２よりも高い位置にある上流側通水路２８ｂ内に滞留していた水は、重力によって、所定の水抜き時間内に、バイパス切替弁１８、水抜き通水路３８、及び水抜き弁４２を通って排水ホース１４から排出される。また、下流側通水路３０も水抜き弁４２よりも高い位置にあるため、この中に滞留していた水も活性炭カートリッジ２０を通って、同様に重力によって排出される。
【００６９】
また、本実施形態においては、活性炭カートリッジ２０及び電解槽２４は水抜き弁４２よりも低い位置にあるのでこれらの内部の水は滞留されたままになる。しかしながら、本実施形態においては、活性炭カートリッジ２０には、活性炭を加熱して内部の水を煮沸する加熱手段（図示せず）が設けられているので、内部に水が滞留してもこれを清潔に保つことができる。また、電解槽２４の内部は、酸性水や次亜塩素酸を含む水によって殺菌されるので、内部に水が滞留してもこれを清潔に保つことができる。
【００７０】
所定の水抜き時間が経過すると、ステップＳ２０５に進む。ステップＳ２０５においては、バイパス切替弁１８が洗浄位置に切り替えられる。
さらに、ステップＳ２０６においては、所定の水抜き時間が経過したか否かが判断され、所定の水抜き時間が経過していない場合には、ステップＳ２０６の処理が繰り返される。本実施形態においては、ステップＳ２０５の処理が実行された後５秒間、即ち、ステップＳ２０２において開始されたタイマーの積算時間が１０秒になるまでステップＳ２０６の処理が繰り返される。
【００７１】
バイパス切替弁１８の洗浄位置においては、バイパス通水路３２と上流側通水路２８ａが連通され、即ち、バイパス通水路３２と水抜き弁４２が連通される。これにより、水抜き弁４２よりも高い位置にあるバイパス通水路３２内に滞留していた水は、この所定の水抜き時間内に、バイパス切替弁１８、水抜き通水路３８、及び水抜き弁４２を通って排水ホース１４から排出される。また、バイパス通水路３２に連通するカルシウム供給部２２内に滞留していた水も、同様に水抜き弁４２を通って排水ホース１４から排出される。
【００７２】
次いで、タイマーの積算時間が１０秒になるとステップＳ２０７に進む。ステップＳ２０７においては、コントローラ２６は、バイパス切替弁１８を通常位置に戻し、図１０のフローチャートの処理を終了する。
【００７３】
一方、ステップＳ２０３において、バイパス切替弁１８が洗浄位置であった場合には、ステップＳ２０８に進む。ステップＳ２０８においては、所定の水抜き時間が経過するまで、その処理が繰り返される。この間、バイパス切替弁１８は洗浄位置にされているため、ステップＳ２０６における場合と同様に、バイパス通水路３２内に滞留していた水が排出される。
【００７４】
さらに、所定の水抜き時間が経過すると、ステップＳ２０９の処理が実行される。ステップＳ２０９においては、コントローラ２６は、バイパス切替弁１８を通常位置に切り替える。次いで、ステップＳ２０９においては、所定の水抜き時間が経過するまで、その処理が繰り返される。この間、バイパス切替弁１８は通常位置にされているため、ステップＳ２０４における場合と同様に、上流側通水路２８ｂ、下流側通水路３０及び活性炭カートリッジ２０内に滞留していた水が排出される。
【００７５】
次いで、タイマーの積算時間が１０秒になるとステップＳ２１１に進む。ステップＳ２１１においては、コントローラ２６は、バイパス切替弁１８を洗浄位置に戻し、図１０のフローチャートの処理を終了する。
【００７６】
次に、図１１を参照して、図８のステップＳ１０において実行される処理を説明する。図１１は、通水路が開放された際に実行される通水路洗浄モードの運転のフローチャートである。
【００７７】
まず、図１１のステップＳ３０１においては、操作表示部１２の表示が切り替えられる。即ち、ＬＥＤ５が赤色で点滅され、通水路洗浄モード運転が開始されたことを報知する。また、液晶ディスプレイ１２ａには「ホース及びカルシウムキャップ取り付け、通水してください。強力配管洗浄を行います。」とのメッセージが表示される。
【００７８】
次に、ステップＳ３０２においては、使用者が、液晶ディスプレイ１２ａのメッセージに従って水栓６を吐水状態とし、本体部２に水道水が通水されているか否かが判断される。通水が確認された場合にはステップＳ３０３に進み、通水されていない場合にはステップＳ３０２の処理が繰り返される。
【００７９】
次いで、ステップＳ３０３においては、洗浄処理時間をカウントするタイマーが積算を開始する。
さらに、ステップＳ３０４においては、操作表示部１２のＬＥＤ５が赤色の点灯状態にされると共に、液晶ディスプレイ１２ａの表示が「強力洗浄中」に変更される。さらに、コントローラ２６は、バイパス切替弁１８に信号を送り、これを上流側通水路２８ａとバイパス通水路３２が連通する洗浄位置に切り替える。これにより、中空糸膜カートリッジ１６から流出した水道水が、活性炭カートリッジ２０をバイパスして、カルシウム供給部２２に直接流入するようになる。また、コントローラ２６は、本体部２に内蔵されているブザー（図示せず）を鳴動させ、現在吐水ヘッド４から吐出されている水は飲用には適さない旨を音声によって使用者に報知する。また、バイパス切替弁１８が洗浄位置に切り替えられている旨の情報が、コントローラ２６のメモリ（図示せず）に記憶される。
【００８０】
続いて、ステップＳ３０５においては、コントローラ２６は、電解槽２４に信号を送り、電解槽２４に内蔵された電極に印加する電圧を切る。これにより、電解槽２４に流入した水には電界が作用せず、水は電気分解されることなく電解槽２４から流出する。また、電解槽２４に流入する水は活性炭カートリッジ２０をバイパスしているため、塩素成分が多く残留しており殺菌力を有する。これにより、電解槽２４から延びるアルカリ通水路３６には、塩素成分を含む水が流入する。電解槽２４から流出した塩素成分を含む水は、アルカリ通水路３６、流出ホース１０、及び吐水ヘッド４を通って吐水口から吐出され、これらの通水路を殺菌、洗浄する。
【００８１】
次に、ステップＳ３０６においては、本体部２への通水状態が継続しているか否かが判断される。通水状態が継続している場合には、ステップＳ３０７に進み、通水路洗浄モードの途中で使用者が水栓６を止水状態にした場合にはステップＳ３１２に進む。
【００８２】
さらに、ステップＳ３０７においては、所定の前洗浄時間が経過しているか否かが判断される。即ち、ステップＳ３０３でカウントを開始したタイマーが、所定の前洗浄時間に達しているか否かが判断される。所定の前洗浄時間が経過している場合には、ステップＳ３０８に進み、前洗浄時間が経過していない場合には、ステップＳ３０６に戻る。本実施形態においては、前洗浄時間である２０秒間に亘って、バイパス切替弁１８が洗浄位置に切り替えられた状態で洗浄が行われる。
【００８３】
ステップＳ３０８においては、コントローラ２６は、バイパス切替弁１８に信号を送り、これを上流側通水路２８ａと上流側通水路２８ｂが連通する通常位置に切り替える。これにより、中空糸膜カートリッジ１６から流出した水道水は、活性炭カートリッジ２０に流入するようになる。また、バイパス切替弁１８が通常位置に切り替えられている旨の情報は、コントローラ２６のメモリ（図示せず）に記憶される。活性炭カートリッジ２０で浄化された浄水は、電解槽２４を通過し、アルカリ通水路３６、流出ホース１０、及び吐水ヘッド４を通って吐水口から吐出され、これらの通水路に付着した塩素成分を含む水が洗い流される。
【００８４】
次に、ステップＳ３０９においては、本体部２への通水状態が継続しているか否かが判断される。通水状態が継続している場合には、ステップＳ３１０に進み、通水路洗浄モードの途中で使用者が水栓６を止水状態にした場合にはステップＳ３１２に進む。
【００８５】
さらに、ステップＳ３１０においては、所定の後洗浄時間が経過しているか否かが判断される。即ち、ステップＳ３０８において開始された後洗浄が、所定の後洗浄時間に達しているか否かが判断される。所定の後洗浄時間が経過している場合には、ステップＳ３１１に進み、後洗浄時間が経過していない場合には、ステップＳ３０９に戻る。本実施形態においては、ステップＳ３０３におけるタイマーの積算開始から３０秒が経過しているか否かが、ステップＳ３１０において判断される。即ち、本実施形態においては、２０秒間の前洗浄時間が経過した後、後洗浄時間である１０秒間に亘って、バイパス切替弁１８が通常位置に切り替えられた状態で洗浄が行われる。
【００８６】
さらに、ステップＳ３１１においては、操作表示部１２のＬＥＤ５が青色の点灯状態にされると共に、液晶ディスプレイ１２ａの表示が「洗浄完了」に変更される。また、コントローラ２６は、ブザー（図示せず）の鳴動を停止させ、通水路洗浄モードの運転が終了したことを使用者に報知して、図１１に示すフローチャートの処理を終了する。
【００８７】
なお、コントローラ２６は、ステップＳ３０１の処理が終了した後、ステップＳ３１０の処理が終了するまでの全洗浄時間に亘って、押しボタンスイッチＳＷ１〜ＳＷ４の操作を受け付けず、使用者がこれらの押しボタンスイッチを操作しても、その操作を無視するように構成されている。
【００８８】
次に、ステップＳ３１２以下の処理を説明する。
ステップＳ３１２以下の処理は、ステップＳ３０６又はＳ３０９において、通水路洗浄モードの運転の途中で使用者が水栓６を止水状態にしたと判断された場合の処理である。
【００８９】
まず、ステップＳ３１２においては、コントローラ２６は、鳴動されているブザー（図示せず）を停止させる。さらに、コントローラ２６は、赤色で点灯されていたＬＥＤ５を、赤色の点滅に切り替えると共に、液晶ディスプレイ１２ａに「洗浄未完了」と表示させる。次いで、ステップＳ３１３においては、水栓６が止水状態にされたときの図１０に示す水抜き処理が実行される。
【００９０】
ステップＳ３１３の処理が終了するとステップＳ３０２に戻る。上述の通り、ステップＳ３０２においては、水栓６が開放されているか否かが判断され、開放されていない場合には、その処理が繰り返される。再び水栓６が開放されると、ステップＳ３０３以下の処理が実行され、中断されていた洗浄処理が最初から実行される。
【００９１】
次に、図１２を参照して、図８のステップＳ１１において実行される自動通水路洗浄モードの運転を説明する。図１２は、所定期間毎に実行される自動通水路洗浄モードのフローチャートである。
【００９２】
まず、図１２のステップＳ４０１においては、水栓６が吐水状態にされ、本体部２に水道水が通水されているか否かが判断される。通水が確認された場合にはステップＳ４０２に進み、通水されていない場合にはステップＳ４０１の処理が繰り返される。
【００９３】
次いで、ステップＳ４０２においては、洗浄処理時間をカウントするタイマーが積算を開始する。
さらに、ステップＳ４０３においては、操作表示部１２のＬＥＤ５が赤色の点灯状態にされると共に、液晶ディスプレイ１２ａの表示が「洗浄中」に変更される。さらに、コントローラ２６は、バイパス切替弁１８に信号を送り、これを上流側通水路２８ａとバイパス通水路３２が連通する洗浄位置に切り替える。これにより、中空糸膜カートリッジ１６から流出した水道水が、活性炭カートリッジ２０をバイパスして、カルシウム供給部２２に直接流入するようになる。また、コントローラ２６は、本体部２に内蔵されているブザー（図示せず）を鳴動させ、現在吐水ヘッド４から吐出されている水は飲用には適さない旨を音声によって使用者に報知する。また、バイパス切替弁１８が洗浄位置に切り替えられている旨の情報が、コントローラ２６のメモリ（図示せず）に記憶される。
【００９４】
続いて、ステップＳ４０４においては、コントローラ２６は、電解槽２４に信号を送り、電解槽２４に内蔵された電極に印加する電圧を切る。これにより、電解槽２４に流入した水には電界が作用せず、水は電気分解されることなく電解槽２４から流出する。また、電解槽２４に流入する水は活性炭カートリッジ２０をバイパスしているため、塩素成分が多く残留しており殺菌力を有する。これにより、電解槽２４から延びるアルカリ通水路３６には、塩素成分を含む水が流入する。電解槽２４から流出した塩素成分を含む水は、アルカリ通水路３６、流出ホース１０、及び吐水ヘッド４を通って吐水口から吐出され、これらの通水路を殺菌、洗浄する。
【００９５】
次に、ステップＳ４０５においては、本体部２への通水状態が継続しているか否かが判断される。通水状態が継続している場合には、ステップＳ４０６に進み、通水路洗浄モードの途中で使用者が水栓６を止水状態にした場合にはステップＳ４１１に進む。
【００９６】
さらに、ステップＳ４０６においては、所定の前洗浄時間が経過しているか否かが判断される。即ち、ステップＳ４０２でカウントを開始したタイマーが、所定の前洗浄時間に達しているか否かが判断される。所定の前洗浄時間が経過している場合には、ステップＳ４０７に進み、前洗浄時間が経過していない場合には、ステップＳ４０５に戻る。本実施形態においては、前洗浄時間である２０秒間に亘って、バイパス切替弁１８が洗浄位置に切り替えられた状態で洗浄が行われる。
【００９７】
ステップＳ４０７においては、コントローラ２６は、バイパス切替弁１８に信号を送り、これを上流側通水路２８ａと上流側通水路２８ｂが連通する通常位置に切り替える。これにより、中空糸膜カートリッジ１６から流出した水道水は、活性炭カートリッジ２０に流入するようになる。また、バイパス切替弁１８が通常位置に切り替えられている旨の情報は、コントローラ２６のメモリ（図示せず）に記憶される。活性炭カートリッジ２０で浄化された浄水は、電解槽２４を通過し、アルカリ通水路３６、流出ホース１０、及び吐水ヘッド４を通って吐水口から吐出され、これらの通水路に付着した塩素成分を含む水が洗い流される。
【００９８】
次に、ステップＳ４０８においては、本体部２への通水状態が継続しているか否かが判断される。通水状態が継続している場合には、ステップＳ４０９に進み、通水路洗浄モードの途中で使用者が水栓６を止水状態にした場合にはステップＳ４１１に進む。
【００９９】
さらに、ステップＳ４０９においては、所定の後洗浄時間が経過しているか否かが判断される。即ち、ステップＳ４０７において開始された後洗浄が、所定の後洗浄時間に達しているか否かが判断される。所定の後洗浄時間が経過している場合には、ステップＳ４１０に進み、後洗浄時間が経過していない場合には、ステップＳ４０８に戻る。本実施形態においては、ステップＳ４０２におけるタイマーの積算開始から３０秒が経過しているか否かが、ステップＳ４０９において判断される。即ち、本実施形態においては、２０秒間の前洗浄時間が経過した後、後洗浄時間である１０秒間に亘って、バイパス切替弁１８が通常位置に切り替えられた状態で洗浄が行われる。
【０１００】
さらに、ステップＳ４１０においては、操作表示部１２のＬＥＤ５が青色の点灯状態にされると共に、液晶ディスプレイ１２ａの表示が「洗浄完了」に変更される。また、コントローラ２６は、ブザー（図示せず）の鳴動を停止させ、通水路洗浄モードの運転が終了したことを使用者に報知して、図１２に示すフローチャートの処理を終了する。
【０１０１】
なお、コントローラ２６は、ステップＳ４０１の処理が終了した後、ステップＳ４０９の処理が終了するまでの全洗浄時間に亘って、押しボタンスイッチＳＷ１〜ＳＷ４の操作を受け付けず、使用者がこれらの押しボタンスイッチを操作しても、その操作を無視するように構成されている。
【０１０２】
次に、ステップＳ４１１以下の処理を説明する。
ステップＳ４１１以下の処理は、ステップＳ４０５又はＳ４０８において、通水路洗浄モードの運転の途中で使用者が水栓６を止水状態にしたと判断された場合の処理である。
【０１０３】
まず、ステップＳ４１１においては、コントローラ２６は、鳴動されているブザー（図示せず）を停止させる。さらに、コントローラ２６は、赤色で点灯されていたＬＥＤ５を、赤色の点滅に切り替えると共に、液晶ディスプレイ１２ａに「洗浄未完了」と表示させる。次いで、ステップＳ４１２においては、水栓６が止水状態にされたときの図１０に示す水抜き処理が実行される。
ステップＳ４１２の処理が終了するとステップＳ４０１に戻る。上述の通り、ステップＳ４０１においては、水栓６が開放されているか否かが判断され、開放されていない場合には、その処理が繰り返される。再び水栓６が開放されると、ステップＳ４０２以下の処理が実行され、中断されていた洗浄処理が最初から実行される。
【０１０４】
本発明の実施形態のアルカリイオン水生成器によれば、バイパス通水路を備えているので、活性炭カートリッジの下流側にも塩素成分を含む水を流して通水路の殺菌を行うことができる。また、水道水の供給が停止された際には、通水路切替手段を切り替えることにより、バイパス通水路及び下流側通水路の両方の滞留水を排出して雑菌の繁殖を防止することができる。
【０１０５】
また、本実施形態のアルカリイオン水生成器によれば、カルシウム供給部内の滞留水も水抜きすることができるので、カルシウム供給部に雑菌が繁殖するのを防止することができると共に、カルシウム供給部内に滞留した水にカルシウムが溶出して、カルシウムが浪費されるのを防止することができる。
【０１０６】
さらに、本実施形態のアルカリイオン水生成器によれば、水抜き弁は、電解槽よりも上方に配置されているので、水抜きを行った後も電解槽内に水が滞留し、滞留した水に電界を作用させることにより、電解槽の電極を洗浄することができる。
【０１０７】
また、本実施形態のアルカリイオン水生成器によれば、下流側通水路が水抜き弁よりも上方に配置されているので、下流側通水路内の水を、容易に水抜きすることができる。
【０１０８】
以上、本発明の好ましい実施形態を説明したが、上述した実施形態に種々の変更を加えることができる。特に、上述した実施形態においては、活性炭カートリッジは、水抜き弁よりも下方に配置され、水抜きを行った後にも内部に水が滞留するように構成されていたが、水抜き弁を活性炭カートリッジよりも下方に配置し、活性炭カートリッジ内の滞留水も水抜きされるように構成しても良い。
【０１０９】
また、上述した実施形態においては、脱塩素手段として活性炭を使用しているが、脱塩素手段として、セラミック濾過材、ＲＯ膜（逆浸透膜）等を使用しても良い。
【図面の簡単な説明】
【０１１０】
【図１】本発明の実施形態によるアルカリイオン水生成器全体を示す斜視図である。
【図２】本発明の実施形態によるアルカリイオン水生成器の本体内の構成を示すブロック図である。
【図３】本発明の実施形態によるアルカリイオン水生成器の吐水ヘッドを拡大して示す斜視図である。
【図４】吐水ヘッドに内蔵されたセンサ回路を示す図である。
【図５】バイパス切替弁の構造を示す断面図である。
【図６】水抜き弁の構造を示す断面図である。
【図７】本発明の実施形態によるアルカリイオン水生成器の本体部に設けられた操作表示部の拡大図である。
【図８】アルカリイオン水生成器の作用を示すメインルーチンのフローチャートである。
【図９】スイッチ操作による強制的な通水路洗浄モードの運転の処理を示すサブルーチンのフローチャートである。
【図１０】水栓が止水状態にされたときに実行される水抜き処理を示すサブルーチンのフローチャートである。
【図１１】通水路が開放された際に実行される通水路洗浄モードの運転の処理を示すサブルーチンのフローチャートである。
【図１２】所定期間毎に実行される自動通水路洗浄モードの運転の処理を示すサブルーチンのフローチャートである。
【符号の説明】
【０１１１】
１      アルカリイオン水生成器
２      本体部
２ａ    キャップ
４      吐水ヘッド
４ａ    操作レバー
４ｂ    リミットスイッチ
６      水栓
８      流入ホース
１０    流出ホース
１２    操作表示部
１２ａ  液晶ディスプレイ
１４    排水ホース
１６    中空糸膜カートリッジ
１８    バイパス切替弁
１８ａ  弁体
２０    活性炭カートリッジ
２２    カルシウム供給部
２４    電解槽
２６    コントローラ
２８ａ  上流側通水路
２８ｂ  上流側通水路
３０    下流側通水路
３２    バイパス通水路
３４    電解槽流入通水路
３６    アルカリ通水路
３８    水抜き通水路
４０    酸性通水路
４２    水抜き弁
４２ａ  弁座部
４２ｂ  ボール弁体
４２ｃ  摺動部材
４２ｄ  付勢ばね
４４    定流量弁付き逆止弁
４６    逆止弁
４８    ホース結合部
４８ａ  係合爪
５０ａ  検知部
５０ｂ  回路
５０ｃ  電池
５０ｄ  送受信ユニット
５０ｅ  本体部送受信ユニット
【図１】
2008086858.tif 000003
【図２】
2008086858.tif 000004
【図３】
2008086858.tif 000005
【図４】
2008086858.tif 000006
【図５】
2008086858.tif 000007
【図６】
2008086858.tif 000008
【図７】
2008086858.tif 000009
【図８】
2008086858.tif 000010
【図９】
2008086858.tif 000011
【図１０】
2008086858.tif 000012
【図１１】
2008086858.tif 000013
【図１２】
2008086858.tif 000014